(57)【要約】      （修正有）【課題】  ミチ糸の維持管理は、釣竿の使用後、リールで巻き取った糸をそのスプールごと水洗清掃、または糸を廃棄処理するしかできなかったが、完全に清掃とチェック・交換・保管・処理・糸巻きが簡単にできる器具を提供する。【解決手段】  器具に使用リール２４と空リール２３を設置して、ミチ糸２５の清掃・チェックができる。また、空リール２３にはその用途に応じたボビン２８を付けて、ミチ糸２５の交換・保管・廃棄処分ができる。この器具にボビン固定器を取り付けることで、様々な種類の市販ボビンに対応でき、新しいミチ糸２５を使用リール２４に巻き取ることも簡単にできる。さらに器具の伸び縮みができるため、場所を選ばずに片付けができ、持ち運びも容易である。【選択図】なし【特許請求の範囲】
【請求項１】
この器具は、魚釣りに使用するリールのミチ糸を維持管理する器具である。スクリューナットを操作して器具を伸び縮みさせることができるため、場所を選ばずに片付けたり、手軽に持ち運びできるようにした器具セット。
【請求項２】
前記器具に、魚釣り後のリールと空リールを固定パイプシートに設置して、ミチ糸を濡れた布で挟み、往復で糸を通すことにより付着した汚れを完全に取り除くことができる。また、ミチ糸の往復中に糸癖、キズ等のチェックもできるようにした固定パイプシート付器具セット。
【請求項３】
前記器具に設置された空リールのスプールを外して、新しいボビンを嵌め、ドラッグナットで止める。清掃されたミチ糸を使用リールからボビンに巻き取り、ボビンに号数のラベルを貼って保存する。また、別のボビンのミチ糸を使用リールに巻き替えて交換ができる。さらに、使い古したミチ糸をボビンに巻き取って処分することができるボビン。
【請求項４】
前期器具の上に、多種多様な形状の市販ミチ糸ボビンに対応ができるボビン固定器を設置する。このボビン固定器に新しいミチ糸ボビンをバネの力により余分な回転をボビンに与えないように固定する。新しいミチ糸ボビンより設置された使用リールのスプールに新しいミチ糸を巻き取るためのボビン固定器装置。
【発明の詳細な説明】
【発明の詳細な説明】
【技術分野】
【０００１】  本発明は、魚釣りに使用するリールのミチ糸を維持管理する器具である。この器具は、スクリューナットを操作して器具を伸び縮みさせることにより、場所を選ばずに片付けたり、手軽に持ち運びができるようにした便利な器具セットである。魚釣り後、釣竿の使用リールのミチ糸には汚れが付着し、水洗い程度では簡単に中まで汚れを取り除くことができなかったが、この器具の固定パイプシートに使用リールと空リールを設置して、ミチ糸を濡れた布で挟み、往復で糸を通すことにより汚れを完全に取り除くことができる。また、このミチ糸の往復中に糸癖、キズ等のチェックができる。この器具は、様々な機種のリールのミチ糸でも維持管理することができ、手入れをすることによって道具を長持ちさせ、楽しく魚釣りができる器具セットである。この器具に設置された空リールのスプールを外し、新しいボビンを嵌めてドラッグナットで止める。使用リールのミチ糸をボビンに巻き取り、ボビンに号数のラベルを貼って保存する。また、別のボビンの糸を使用リールに巻き替えて交換もできる。この要領で、使い古したミチ糸をリールからボビンに巻き取って処分することもできる。また、器具の上に多種多様な形状の市販ボビンに対応できるボビン固定器を設置する。このボビン固定器に新しいミチ糸ボビンより設置された使用リールのスプールに新しいミチ糸を巻き取るためのボビン固定器装置である。この機器の使用で誰もが簡単に新しい糸を巻き取ることができるようにしたものである。
【背景技術】
【０００２】  従来、ミチ糸の維持管理には各自で創意工夫した方法で行われている。また、リールのスプールにミチ糸を巻く方法は、釣竿にリールを設置してガイドを通してミチ糸を巻く方法がとられている。
【発明が解決しようとする課題】
【０００３】  従来は、魚釣り後の使用道具の手入れでリールの場合、スプールを外して真水に付け陰干しにする。ミチ糸の交換は、使用済みのボビンや台紙等に手で巻き取って保存したり処分したりする。新しいボビンのミチ糸は、釣竿のガイドを通してスプールに巻く。このような方法では時間もかかり、場所も取るため、いつでもすぐに片付けることができなかった。
【課題を解決するための手段】
【０００４】  前記の課題を解決するため、発明１に係る器具で固定パイプシートに使用リールと空リールを設置して、ミチ糸を濡れた布で挟み往復で糸を通すことにより汚れを完全に取り除くことができる。また、ミチ糸の往復中に糸癖やキズのチェックもできる。この器具は、様々な機種のリールのミチ糸でも維持管理することができ、手入れをすることによって道具を長持ちさせ、気持ちよく魚釣りを楽しめる。
【０００５】  本発明３は、前記器具の固定パイプシートに設置された空リールのスプールを外し、新しいボビンを嵌めてドラッグナットで止める。使用リールのミチ糸をボビンに巻き取りボビンに号数のラベルを貼って保存する。このほかに、別のボビンの糸を使用リールに巻き替えて交換したり、使い古したミチ糸をボビンに巻き取って処分したりすることもできる。
【０００６】  本発明１の器具の上に、様々な形状の市販ボビンに対応ができるボビン固定器を設置する。バネの力によって余分な回転をボビンに与えないようにしたこの固定器に新しいボビンを固定する。新しいミチ糸ボビンより使用リールのスプールに新しいミチ糸を巻き取るためのボビン固定器装置で、誰でも簡単に新しいミチ糸を巻き取ることができる。
【発明を実施するための最良の形態】
【０００７】  以下、本発明の実施の形態について図面に基づいて説明する。図１は本発明の実施形態を採用した器具本体の平面図である。図２は器具本体の側面図である。図３は収納可能にしたスクリューナットの詳細平面図、図４はその詳細断面図である。【０００８】  図１に示すように、器具本体はパイプ１を３本組み合わせ、前後で２ヶ所を連結金具２で連結することにより、振動・揺れ・がたつきを防ぐことにした。また、器具の下部にゴム足３をつけることにより、移動や振動を防ぐことになる。さらにパイプ１の両端部にケガや傷をつけるのを防ぐためにゴムキャップ４をつける。異なるパイプ１径をつなげて器具本体を伸び縮みさせるために、図３・４に示す通り、口金にスクリューネジ５を取りつけ、スクリューナット６の間に接地面を多くして隙間を詰める形状のゴムパッキン７を設置する。小口径パイプの端部にはゴム栓８を取り付ける。小口径パイプ１側にマーク９を付けて、この２支点の支えにより安定した継ぎ部となる。
なお、パイプ１は強硬で軽量なステンレス製・アルミ製・グラスファイバー・カーボンファイバー等でもよい。【０００９】  前記器具本体で中央パイプ１の両端に、リール台足１０を固着するために固定パイプシート１１をエポキシ接着剤でパイプ１に固定する。このパイプシート１１については、側面図５・断面図６と詳細断面図７・８で示すとおりである。リール台足１０はパイプシート１２上の固定フード１３とフック付スライド式フード１４で固定する。フック付スライド式フード１４の固定方法は、ゴム板１５を覆う金具１６の上にワッシャー１７を設ける。フック付スライド式フード１４とナット１８を合体させる。ツマミ１９はワッシャー１７を嵌めて螺子２０を切り押し潰して止める。また、射出形成されたリールシート１１に一体となっている山形アングル２１にフック付スライド式フード１４を引っ掛けて、ツマミ１９を回してゴム板１５をシート面１２に圧着し固定する。また、リール台足１０をより完全に固着するために、固定フード１３の中とフック付スライド式フード１４の中とに充てゴム２２を設置する。これにより、いろいろな機種のリールでもしっかり固定できるため、振動やがたつくことがない。ここでは基本的な詳細構造について説明を行った。次に図９で示すように、固定パイプシート１１に空リール２３と使用リール２４を固定してミチ糸２５を濡れた布２６で挟み、往復でミチ糸２５を通すことにより汚れを完全に取り除くことができる。また、ミチ糸２５の往復中に糸癖・傷のチェックもできる。【００１０】  図１０で示すように、固定パイプシート１１に空リール２３を固定してスプール２７を外して新しいボビン２８を嵌めてドラッグナット２９で止める。新しいボビン２８の詳細は、図１１の平面図と図１２の詳細断面図に示す通りである。この新しいボビン２８を使って、清掃された使用リール２４のミチ糸２５をボビン２８に巻き取り、ボビン２８に号数のラベルを貼って保存する。また、別のボビン２８のミチ糸を使用リール２４に巻き替えて交換ができる。さらに、使い古したミチ糸２５をボビン２８に巻き取って処分することもできる。
このボビン２８の材質は、交換保存用は樹脂製、処分用については樹脂製か厚紙製にするなど、その用途によって使い分ける。【００１１】  前記器具本体の連結金具２の上にＬ型金具３０を両端に立てて連結金具２にネジ、ナット３１で設置する。Ｌ型金具３０の上部は、両端が一部螺子付の金属棒３２を通して両端をナット３３で止める。金属棒３２上には、一部螺子付のさや管３４を通す。その上にワッシャー３５、バネ３６、微調整のできるナット３７を設ける。ワッシャー３５、バネ３６、片側のゴム張りボビン固定板３８を両側に設置する。この説明図は詳細平面図１３、詳細側面図１４で示す通りである。また、ボビン固定器による実例を図１５、図１６で示すように、様々な形状の市販ボビンに対応することができるボビン固定器である。このように、誰もが簡単にできて、新しい糸を使用リール２４に巻き取ることができるようにしたものである。
【発明の効果】
【００１２】  発明を以上のように説明した構造で使用すると、ミチ糸の維持管理のための器具が、伸縮できることにより場所を選ばずに片付けたり、持ち運びが容易となる。また、固定パイプシート設置により使用リールのミチ糸を簡単に清掃とチェックができ、リールに新しいボビンの設置により使用ミチ糸の交換、保管、廃棄処分もできる。さらにボビン固定器の設置で様々な形状の市販ボビンに対応でき、使用リールに糸を巻くことができる。この器具は使用範囲が広く便利である。
【図面の簡単な説明】
【００１３】
【図１】    器具全体の平面図
【図２】    器具全体の側面図
【図３】    器具の継ぎ部の詳細側面図
【図４】    器具の継ぎ部の詳細断面図
【図５】    固定パイプシートの側面図
【図６】    固定パイプシートの断面図
【図７】    フック付スライド式フードの詳細側面図
【図８】    フック付スライド式フードの詳細断面図
【図９】    器具上のリール  使用状況側面図
【図１０】    新しいボビン  使用状況側面図
【図１１】    新しいボビンの側面図
【図１２】    新しいボビンの断面図
【図１３】    ボビン固定器の側面図
【図１４】    ボビン固定器の断面図
【図１５】    市販ボビンのボビン固定器  使用状況側面図
【図１６】    市販ボビンのボビン固定器  使用状況側面図
【符号の説明】
【００１４】１．  パイプ
２．  連結金具
３．  ゴム足
４．  ゴムキャップ
５．  スクリューネジ
６．  スクリューナット
７．  ゴムパッキン
８．  ゴム栓
９．  マーク
１０．  リール台足
１１．  固定パイプシート
１２．  パイプシート面
１３．  固定フード
１４．  フック付スライド式フード
１５．  ゴム板
１６．  ゴム板を覆う金具
１７．  ワッシャー
１８．  ナット
１９．  ツマミ
２０．  螺子
２１・  山形アングル
２２・  充てゴム
２３・  空リール
２４・  使用リール
２５．  ミチ糸
２６・  濡れた布
２７．  スプール
２８・  新しいボビン
２９．  ドラッグナット
３０．  Ｌ型金具
３１・  ネジ・ナット
３２・  螺子付の金属棒
３３・  ナット
３４・  一部螺子付さや管
３５・  ワッシャー
３６・  バネ
３７・  微調整用ナット
３８・  ゴム張りボビン固定板
【図１】
2005328828.tif 000002
【図２】
2005328828.tif 000003
【図３】
2005328828.tif 000004
【図４】
2005328828.tif 000005
【図５】
2005328828.tif 000006
【図６】
2005328828.tif 000007
【図７】
2005328828.tif 000008
【図８】
2005328828.tif 000009
【図９】
2005328828.tif 000010
【図１０】
2005328828.tif 000011
【図１１】
2005328828.tif 000012
【図１２】
2005328828.tif 000013
【図１３】
2005328828.tif 000014
【図１４】
2005328828.tif 000015
【図１５】
2005328828.tif 000016
【図１６】
2005328828.tif 000017